(57)【要約】【課題】測定装置の種類および個数に応じて、該測定装置の個数に関わらず、該測定装置から得られる測定データを見やすく表示させることが可能なデータ表示装置を提供する。【解決手段】データ表示装置１は、接続されている測定装置２の種別および個数を取得する接続装置管理部１０１と、測定装置２から測定総合情報を受信するデータ管理部１０３と、測定装置２の種別に対応付けられた、測定装置２の測定総合情報の提示形態を示すグラフ生成情報と、測定装置２の個数に対応付けられた、データ表示画面の表示レイアウトを示す表示レイアウト情報とを含む画面生成情報を決定するレイアウト決定部１０２と、レイアウト決定部１０２が決定した画面生成情報と、データ管理部１０３が受信した測定総合情報とを用いて、データ表示画面を生成すると共に、データ表示画面を画面表示部１０７に表示させる画面生成部１０６と、を備えている。【選択図】図１
2009189443.tif 000002
【特許請求の範囲】
【請求項１】
生体情報を測定する測定装置と通信を行うことによって、該測定装置からのデータを画面表示部に表示させるデータ表示装置であって、
接続されている上記測定装置を検出すると共に、検出した該測定装置の種別および個数を取得する接続装置管理手段と、
上記接続装置管理手段が検出した上記測定装置から、上記生体情報と、該生体情報の測定状況に関する測定情報とを含む測定総合情報を受信する測定総合情報受信手段と、
上記接続装置管理手段が取得した上記測定装置の種別に対応付けられた、上記測定総合情報受信手段が受信した該測定装置の測定総合情報の提示形態を示す提示形態情報と、該接続装置管理手段が取得した上記測定装置の個数に対応付けられた、上記生体情報に関する表示を行うためのデータ表示画面の表示レイアウトを示す表示レイアウト情報とを含む画面生成情報を決定する画面生成情報決定手段と、
上記画面生成情報決定手段が決定した画面生成情報と、上記測定総合情報受信手段が受信した測定総合情報とを用いて、上記データ表示画面を生成すると共に、該データ表示画面を上記画面表示部に表示させる画面生成手段と、を備えたことを特徴とするデータ表示装置。
【請求項２】
上記画面生成情報決定手段は、上記測定装置の種別と上記提示形態情報とを対応付けて記憶した提示形態情報テーブルと、上記測定装置の個数と上記表示レイアウト情報とを対応付けて記憶した表示レイアウト情報テーブルと、を管理することを特徴とする請求項１に記載のデータ表示装置。
【請求項３】
上記画面生成情報決定手段は、現在時刻を示す現在時刻情報と予め設定された設定時刻を示す設定時刻情報とが一致したとき、該設定時刻情報と対応付けられた設定時刻に関する情報である設定時刻関連情報を用いて、上記データ表示画面を生成することを特徴とする請求項１または２に記載のデータ表示装置。
【請求項４】
上記画面生成情報決定手段は、上記接続装置管理手段が検出した上記測定装置の測定総合情報の状態に応じて上記生体情報に関する表示を強調するための強調表示情報を用いて、上記データ表示画面を生成することを特徴とする請求項１から３の何れか１項に記載のデータ表示装置。
【請求項５】
上記接続装置管理手段が検出した上記測定装置を提示する測定装置提示画面を生成すると共に、該測定装置提示画面を上記画面表示部に表示させる提示画面生成手段と、
上記提示画面生成手段が生成した測定装置提示画面に提示される測定装置を選択する利用者の選択操作を検出したときに、該選択操作を検出したことを示す選択操作検出情報を上記画面生成情報決定手段に送信する入力管理手段と、をさらに備え、
上記画面生成情報決定手段は、上記入力管理手段から受信する選択操作検出情報から上記測定装置の種別および個数を取得することによって、上記提示形態情報と上記表示レイアウト情報とを決定することを特徴とする請求項１から４の何れか１項に記載のデータ表示装置。
【請求項６】
上記表示レイアウトの形式を格納する外部レイアウト格納装置から、該表示レイアウトの形式を示す外部表示レイアウト情報を取得するレイアウト取得手段をさらに備え、
上記画面生成情報決定手段は、上記レイアウト取得手段が取得した外部表示レイアウト情報を用いて、上記データ表示画面を生成することを特徴とする請求項１から５の何れか１項に記載のデータ表示装置。
【請求項７】
携帯端末によって実現されることを特徴とする請求項１から６の何れか１項に記載のデ
ータ表示装置。
【請求項８】
テレビジョン受像機または該テレビジョン受像機に接続される外部接続装置によって実現されることを特徴とする請求項１から７の何れか１項に記載のデータ表示装置。
【請求項９】
請求項１から８の何れか１項に記載のデータ表示装置の上記各手段としてコンピュータを機能させるためのデータ表示プログラム。
【請求項１０】
請求項９に記載のデータ表示プログラムを記録したコンピュータ読取可能な記録媒体。
【請求項１１】
生体情報を測定する測定装置と通信を行うことによって、該測定装置からのデータを画面表示部に表示させるデータ表示装置の制御方法であって、
接続されている上記測定装置を検出すると共に、検出した該測定装置の種別および個数を取得する接続装置管理ステップと、
上記接続装置管理ステップにて検出した上記測定装置から、上記生体情報と、該生体情報の測定状況に関する測定情報とを含む測定総合情報を受信する測定総合情報受信ステップと、
上記接続装置管理ステップにて取得した上記測定装置の種別に対応付けられた、上記測定総合情報受信ステップにて受信した該測定装置の測定総合情報の提示形態を示す提示形態情報と、該接続装置管理ステップにて取得した上記測定装置の個数に対応付けられた、上記生体情報に関する表示を行うためのデータ表示画面の表示レイアウトを示す表示レイアウト情報とを含む画面生成情報を決定する画面生成情報決定ステップと、
上記画面生成情報決定ステップにて決定した画面生成情報と、上記測定総合情報受信ステップにて受信した測定総合情報とを用いて、上記データ表示画面を生成すると共に、該データ表示画面を上記画面表示部に表示させる画面生成ステップと、を含むことを特徴とするデータ表示装置の制御方法。
【発明の詳細な説明】
【技術分野】
【０００１】
本発明は、測定装置の種類および個数に応じて、該測定装置の個数に関わらず、該測定装置から得られる測定データを見やすく表示させることが可能なデータ表示装置、データ表示プログラム、コンピュータ読取可能な記録媒体、およびデータ表示方法に関する。
【背景技術】
【０００２】
近年、体重計、体脂肪計、歩数計等の生体情報を測定する測定装置は、測定したデータを、グラフ、キャラクタ等を用いて利用者に視覚的に表示する機能、すなわち該データを該利用者に分かりやすく提示する機能を備えている。また、測定装置自身に上記機能を備えているのではなく、該測定装置から測定データ等を収集し、該データのグラフ表示を行う情報処理装置等も存在する。この測定装置からのデータを収集し、該データを視覚化する技術が、例えば特許文献１、２に開示されている。
【０００３】
特許文献１には、多量の計測結果および複雑な演算結果の表示を可能とした計測機器と、計測結果の格納および演算を補助する情報処理装置とを備えた健康管理システムが開示されている。
【０００４】
具体的には、情報処理装置は、ユーザが計測機器にて生体情報を計測すると、ユーザの識別情報、計測データ、該計測データを計測した時刻を自動的に記録する。また、上記情報処理装置は、過去に測定した計測データ、該計測データから算出される統計量、該計測データを解析することによって得られるアドバイス情報等を生成する。計測機器は、情報処理装置が生成した計測データ、統計量、アドバイス情報等を受信し、これらの情報を表示部に表示させる。
【０００５】
これにより、ユーザは、ＰＣ（personal computer）等の演算装置を操作しなくとも、計測機器を操作するだけで過去の計測結果を図表および計測結果から導いた情報等を閲覧することができる。
【０００６】
なお、図２２および図２３は、計測機器の表示部での表示画面の一例を示した図である。ここでは、計測機器が体重計である場合の表示画面例を示している。
【０００７】
図２２では、表示画面２２０１のウィンドウ２２０２には、過去に測定された体重データの日付毎の推移がグラフを用いて描画されることによって、視覚化されている。また、表示画面２２０１のウィンドウ２２０３には、最高体重、最低体重、平均体重等の統計量、ユーザの身長および年齢に基づくユーザの理想体重等が表示されている。さらに、図２３に示す表示画面２３０１には、体重データの分析結果２３０２、ユーザの食事のアドバイス情報２３０３、運動メニュー２３０４等、ユーザの体重を理想体重に導くためのアドバイス情報が表示されている。
【０００８】
また、特許文献２では、生体情報（バイタルデータ）を収集する測定装置（バイタルセンサ）の数に応じてデータ表示画面レイアウトを変更することが可能なバイタルデータ収集・表示装置が開示されている。
【０００９】
具体的には、バイタルデータ収集・表示装置は、外部に設けられた複数のバイタルセンサのうち、バイタルデータの収集および表示を行う対象となるバイタルセンサを選択するためのバイタルセンサ収集有無テーブルを備えている。また、バイタルデータ収集・表示
装置は、このバイタルセンサ収集有無テーブルの内容に応じて、表示画面（ディスプレイ）上に表示するデータの表示レイアウトを、表示面積が大きく取れるように最適化するレイアウト変更機能を備えている。
【００１０】
すなわち、特許文献２の技術では、バイタルセンサで計測されるバイタルデータを管理すると共に、バイタルセンサ収集有無テーブルを参照することによって、ディスプレイ上に表示されるグラフ等の表示位置または大きさを変更する。これにより、バイタルデータ収集・表示装置は、１つのバイタルセンサあたりのディスプレイ上での表示レイアウトをできるだけ大きな表示面積とすることができ、限られたディスプレイ上の表示スペースを有効に活用することができる。
【特許文献１】特開２００５−３１９２１６号公報（２００５年１１月１７日公開）
【特許文献２】特開２０００−３１２６６６号公報（２０００年１１月１４日公開）
【発明の開示】
【発明が解決しようとする課題】
【００１１】
しかしながら、例えば特許文献１の技術では、情報処理装置が体重データを収集した場合には、体重データに関する情報だけを計測機器の表示部に表示させているだけである。すなわち、計測機器の表示部では、該計測機器が情報処理装置に送信した計測データに基づく表示が行われるだけである。
【００１２】
従って、特許文献１の技術では、情報処理装置は、複数の計測機器から収集した異なる種類の計測データを、１つの表示画面において視覚化することについては開示されていない。すなわち、特許文献１の技術では、情報処理装置は、計測データを送信する計測機器の種類および計測データの数によって、該計測データの表示方法を変更していない。
【００１３】
また、特許文献２の技術では、バイタルデータ収集・表示装置は、複数のバイタルセンサを管理することによって、該バイタルデータを表示するときに表示画面の表示領域を変更している。
【００１４】
この場合、バイタルデータ収集・表示装置は、受信するバイタルデータが１種類である場合、該バイタルデータを表示する箇所の表示領域が大きくなるが、複数のバイタルデータを表示する場合にはその表示領域は小さくなる。このため、特許文献２の技術では、ユーザは、複数のバイタルデータが表示される場合には、１種類のバイタルデータが表示される場合よりも各バイタルデータの表示が見づらくなる虞がある。すなわち、特許文献２の技術では、複数のバイタルデータを表示させるときに表示領域の変更を行っているが、この表示領域の変更がユーザにとっては見づらくなってしまう場合がある。
【００１５】
以上より、特許文献１、２では、生体情報を測定する測定装置の種類および個数に応じて測定データを表示する方法を変更することによって、複数の測定データをさらに見やすく表示させることは困難であった。
【００１６】
なお、特許文献１、２の技術における測定データの表示形態は、該測定データを表示するデータ表示装置（上記計測機器またはバイタルデータ収集・表示装置）にて固定されている。すなわち、特許文献１、２では、測定データを表示するための表示レイアウトを外部装置より取得する構成については開示されていない。
【００１７】
また、利用者毎の嗜好または利用者の測定の持続性等を考慮した場合、毎日同じ表示レイアウトでデータが表示されるだけではなく、表示方法が任意に変更できる機能を有して
いることが好ましい。特許文献１、２には、この機能についての開示もなされていない。
【００１８】
本発明は、上記問題点に鑑みてなされたものであり、その目的は、測定装置の種類および個数に応じて、該測定装置の個数に関わらず、該測定装置から得られる測定データを見やすく表示させることが可能なデータ表示装置、データ表示プログラム、コンピュータ読取可能な記録媒体、およびデータ表示方法を提供することにある。
【課題を解決するための手段】
【００１９】
本発明に係るデータ表示装置は、上記課題を解決するため、生体情報を測定する測定装置と通信を行うことによって、該測定装置からのデータを画面表示部に表示させるデータ表示装置であって、接続されている上記測定装置を検出すると共に、検出した該測定装置の種別および個数を取得する接続装置管理手段と、上記接続装置管理手段が検出した上記測定装置から、上記生体情報と、該生体情報の測定状況に関する測定情報とを含む測定総合情報を受信する測定総合情報受信手段と、上記接続装置管理手段が取得した上記測定装置の種別に対応付けられた、上記測定総合情報受信手段が受信した該測定装置の測定総合情報の提示形態を示す提示形態情報と、該接続装置管理手段が取得した上記測定装置の個数に対応付けられた、上記生体情報に関する表示を行うためのデータ表示画面の表示レイアウトを示す表示レイアウト情報とを含む画面生成情報を決定する画面生成情報決定手段と、上記画面生成情報決定手段が決定した画面生成情報と、上記測定総合情報受信手段が受信した測定総合情報とを用いて、上記データ表示画面を生成すると共に、該データ表示画面を上記画面表示部に表示させる画面生成手段と、を備えたことを特徴とする。
【００２０】
本発明に係るデータ表示装置の制御方法は、上記課題を解決するため、生体情報を測定する測定装置と通信を行うことによって、該測定装置からのデータを画面表示部に表示させるデータ表示装置の制御方法であって、接続されている上記測定装置を検出すると共に、検出した該測定装置の種別および個数を取得する接続装置管理ステップと、上記接続装置管理ステップにて検出した上記測定装置から、上記生体情報と、該生体情報の測定状況に関する測定情報とを含む測定総合情報を受信する測定総合情報受信ステップと、上記接続装置管理ステップにて取得した上記測定装置の種別に対応付けられた、上記測定総合情報受信ステップにて受信した該測定装置の測定総合情報の提示形態を示す提示形態情報と、該接続装置管理ステップにて取得した上記測定装置の個数に対応付けられた、上記生体情報に関する表示を行うためのデータ表示画面の表示レイアウトを示す表示レイアウト情報とを含む画面生成情報を決定する画面生成情報決定ステップと、上記画面生成情報決定ステップにて決定した画面生成情報と、上記測定総合情報受信ステップにて受信した測定総合情報とを用いて、上記データ表示画面を生成すると共に、該データ表示画面を上記画面表示部に表示させる画面生成ステップと、を含むことを特徴とする。
【００２１】
上記構成によれば、画面生成情報決定手段は、測定総合情報受信手段が受信した該測定装置の測定総合情報の提示形態を示す提示形態情報と、上記生体情報に関する表示を行うためのデータ表示画面の表示レイアウトを示す表示レイアウト情報とを含む画面生成情報を決定する。そして、画面生成手段は、画面生成情報決定手段が決定した画面生成情報と、測定総合情報受信手段が受信した測定総合情報を用いて、上記データ表示画面を生成すると共に、該データ表示画面を画面表示部に表示させる。
【００２２】
ここで、提示形態情報は、接続装置管理手段が取得した測定装置の種別に対応付けられた情報であり、表示レイアウト情報は、接続装置管理手段が取得した測定装置の個数に対応付けられた情報である。
【００２３】
これにより、データ表示装置は、該データ表示装置と接続されている（通信可能となっている）測定装置の種別および個数に対応したデータ表示を行うことができる。従って、
データ表示装置は、上記測定装置の数に関わらず、利用者が見やすいデータ表示を行うことができる。
【００２４】
さらに、本発明に係るデータ表示装置は、上記画面生成情報決定部は、上記測定装置の種別と上記提示形態情報とを対応付けて記憶した提示形態情報テーブルと、上記測定装置の個数と上記表示レイアウト情報とを対応付けて記憶した表示レイアウト情報テーブルと、を管理してもよい。
【００２５】
上記構成によれば、画面生成情報決定部は、提示形態情報テーブルと表示レイアウト情報テーブルとを管理するため、提示形態情報テーブルと表示レイアウト情報テーブルとに記憶された提示形態情報と表示レイアウト情報とを適宜変更することができる。すなわち、データ表示装置は、該データ表示装置と接続されている測定装置の種別および個数に対応したデータ表示を適宜変更することができるため、利用者がより見やすいデータ表示を行うことができる。
【００２６】
なお、上記では、画面生成情報決定部は、該提示形態情報テーブルと表示レイアウト情報テーブルとをそれぞれ参照することによって、提示形態情報および表示レイアウト情報を決定している。
【００２７】
さらに、本発明に係るデータ表示装置は、上記画面生成情報決定手段は、現在時刻を示す現在時刻情報と予め設定された設定時刻を示す設定時刻情報とが一致したとき、該設定時刻情報と対応付けられた設定時刻に関する情報である設定時刻関連情報を用いて、上記データ表示画面を生成してもよい。
【００２８】
上記構成によれば、画面生成情報決定手段は、設定時刻情報に対応付けられた設定時刻に関する情報である設定時刻関連情報を用いて、データ表示画面を生成する。例えば、設定時刻関連情報とは、季節感を表す壁紙、利用者特有の情報を示す壁紙等を示す情報である。
【００２９】
これにより、データ表示装置は、利用者の嗜好に沿ったデータ表示を行うことができる。また、データ表示装置は、利用者が飽きることなく健康管理の継続を行うことが可能な環境を提供することができる。
【００３０】
さらに、本発明に係るデータ表示装置は、上記画面生成情報決定手段は、上記接続装置管理手段が検出した上記測定装置の測定総合情報の状態に応じて上記生体情報に関する表示を強調するための強調表示情報を用いて、上記データ表示画面を生成してもよい。
【００３１】
上記構成によれば、画面生成情報決定手段は、測定総合情報の状態に応じて上記生体情報に関する表示を強調するための強調表示情報を用いて、データ表示画面を生成する。例えば、強調表示情報とは、利用者への注意を促す表示情報を指す。
【００３２】
これにより、データ表示装置は、利用者の嗜好に沿ったデータ表示を行うことができる。また、データ表示装置は、利用者が飽きることなく健康管理の継続を行うことが可能な環境を提供することができる。
【００３３】
さらに、本発明に係るデータ表示装置は、上記接続装置管理手段が検出した上記測定装置を提示する測定装置提示画面を生成すると共に、該測定装置提示画面を上記画面表示部に表示させる提示画面生成手段と、上記提示画面生成手段が生成した測定装置提示画面に提示される測定装置を選択する利用者の選択操作を検出したときに、該選択操作を検出したことを示す選択操作検出情報を上記画面生成情報決定手段に送信する入力管理手段と、
をさらに備え、上記画面生成情報決定手段は、上記入力管理手段から受信する選択操作検出情報から上記測定装置の種別および個数を取得することによって、上記提示形態情報と上記表示レイアウト情報とを決定してもよい。
【００３４】
上記構成によれば、画面生成情報決定手段は、提示画面生成手段によって生成された測定装置提示画面に提示される測定装置が選択されたことを示す選択操作検出情報を入力管理手段から受信することによって、測定装置の種別および個数を取得する。そして、画面生成情報決定手段は、取得した測定装置の種別および個数から、提示形態情報と表示レイアウト情報とを決定する。
【００３５】
これにより、データ表示装置は、接続されている測定装置を示す測定装置提示画面を画面表示部に表示させることによって、利用者が該測定装置の中から、測定結果を表示させたい測定装置のグラフだけを用いてデータ表示画面を作成することができる。このため、データ表示装置は、利用者が必要とする測定結果を示すグラフを選択的に表示させることができる。
【００３６】
さらに、本発明に係るデータ表示装置は、上記表示レイアウトの形式を格納する外部レイアウト格納装置から、該表示レイアウトの形式を示す外部表示レイアウト情報を取得するレイアウト取得手段をさらに備え、上記画面生成情報決定手段は、上記レイアウト取得手段が取得した外部表示レイアウト情報を用いて、上記データ表示画面を生成してもよい。
【００３７】
上記構成によれば、レイアウト取得手段は、データ表示装置と通信を行う外部レイアウト格納装置に格納されている表示レイアウトの形式を、外部表示レイアウト情報として取得する。
【００３８】
これにより、データ表示装置は、画面生成情報決定手段で用いられる表示レイアウト情報以外の外部表示レイアウト情報を取得するため、表示レイアウト情報を用いてデー表示画面を生成する場合よりも、様々なデータ表示画面を生成し、表示させることができる。従って、データ表示装置は、利用者が飽きることなく健康管理の継続を行うことが可能な環境を提供することができる。
【００３９】
さらに、本発明に係るデータ表示装置は、携帯端末によって実現されてもよい。また、本発明に係るデータ表示装置は、テレビジョン受像機または該テレビジョン受像機に接続される外部接続装置によって実現されてもよい。
【００４０】
上記構成によれば、本発明に係るデータ表示装置が、携帯端末、テレビジョン受像機または外部接続装置によって実現されている。従って、携帯端末、テレビジョン受像機または外部接続装置は、本発明に係るデータ表示装置と同様、該データ表示装置と接続されている（通信可能となっている）測定装置の種別および個数に対応したデータ表示を行うことができる。従って、上記携帯端末、テレビジョン受像機または外部接続装置は、上記測定装置の数に関わらず、利用者が見やすいデータ表示を行うことができる。
【００４１】
また、上記携帯端末、テレビジョン受像機または外部接続装置は、画面生成情報決定手段で用いられる表示レイアウト情報以外の外部表示レイアウト情報を取得するため、表示レイアウト情報を用いてデー表示画面を生成する場合よりも、様々なデータ表示画面を生成し、表示させることができる。従って、上記携帯端末、テレビジョン受像機または外部接続装置は、利用者が飽きることなく健康管理の継続を行うことが可能な環境を提供することができる。
【００４２】
なお、上記データ表示装置は、コンピュータによって実現してもよく、この場合には、コンピュータを上記各手段として動作させることにより上記データ表示装置をコンピュータにて実現させるデータ表示装置の制御プログラム、およびそれを記録したコンピュータ読み取り可能な記録媒体も、本発明の範疇に入る。
【発明の効果】
【００４３】
本発明に係るデータ表示装置は、以上のように、接続されている上記測定装置を検出すると共に、検出した該測定装置の種別および個数を取得する接続装置管理手段と、上記接続装置管理手段が検出した上記測定装置から、上記生体情報と、該生体情報の測定状況に関する測定情報とを含む測定総合情報を受信する測定総合情報受信手段と、上記接続装置管理手段が取得した上記測定装置の種別に対応付けられた、上記測定総合情報受信手段が受信した該測定装置の測定総合情報の提示形態を示す提示形態情報と、該接続装置管理手段が取得した上記測定装置の個数に対応付けられた、上記生体情報に関する表示を行うためのデータ表示画面の表示レイアウトを示す表示レイアウト情報とを含む画面生成情報を決定する画面生成情報決定手段と、上記画面生成情報決定手段が決定した画面生成情報と、上記測定総合情報受信手段が受信した測定総合情報とを用いて、上記データ表示画面を生成すると共に、該データ表示画面を上記画面表示部に表示させる画面生成手段と、を備えた構成である。
【００４４】
また、本発明に係るデータ表示装置の制御方法は、以上のように、接続されている上記測定装置を検出すると共に、検出した該測定装置の種別および個数を取得する接続装置管理ステップと、上記接続装置管理ステップにて検出した上記測定装置から、上記生体情報と、該生体情報の測定状況に関する測定情報とを含む測定総合情報を受信する測定総合情報受信ステップと、上記接続装置管理ステップにて取得した上記測定装置の種別に対応付けられた、上記測定総合情報受信ステップにて受信した該測定装置の測定総合情報の提示形態を示す提示形態情報と、該接続装置管理ステップにて取得した上記測定装置の個数に対応付けられた、上記生体情報に関する表示を行うためのデータ表示画面の表示レイアウトを示す表示レイアウト情報とを含む画面生成情報を決定する画面生成情報決定ステップと、上記画面生成情報決定ステップにて決定した画面生成情報と、上記測定総合情報受信ステップにて受信した測定総合情報とを用いて、上記データ表示画面を生成すると共に、該データ表示画面を上記画面表示部に表示させる画面生成ステップと、を含む方法である。
【００４５】
それゆえ、データ表示装置は、該データ表示装置と接続されている（通信可能となっている）測定装置の種別および個数に対応したデータ表示を行うことができる。従って、データ表示装置は、上記測定装置の数に関わらず、利用者が見やすいデータ表示を行うことができる。
【発明を実施するための最良の形態】
【００４６】
〔実施形態１〕
本発明の一実施形態について図１〜図１４および図２１に基づいて説明すると以下の通りである。
【００４７】
〔データ通信システムの概略構成〕
まず、本発明に係るデータ表示装置と、データ表示装置とデータ通信を行う測定装置とを含むデータ通信システムの全体的な概略構成について図２１を用いて説明する。図２１は、本発明に係るデータ表示装置と、該データ表示装置とデータ通信を行う測定装置とを含むデータ通信システムの全体的な概略構成を示す図である。
【００４８】
図２１に示すように、データ通信システム２１には、データ表示装置１と測定装置２と
で構成され、データ表示装置１と測定装置２との通信媒体は、無線通信媒体であっても有線通信媒体であってもよい。すなわち、上記通信媒体は、例えば測定装置２がデータ表示装置１と接続されたときに、データ表示装置１が該測定装置２の検出を行うことが可能な媒体、またはデータ表示装置１が該測定装置２からの測定データ等を受信することが可能な媒体であればよい。
【００４９】
測定装置２は、例えば歩数測定装置、体重測定装置、血圧測定装置、体脂肪測定装置、脈派測定装置等、ユーザの身体または生体情報を測定する装置のことである。また、測定装置２は、測定装置の種類（測定装置がどのような測定を行う装置であるか）を示す測定装置情報、測定した日時を示す測定時刻情報、および測定値（生体情報）を示す測定データを記憶する機能を備えている。
【００５０】
なお、ここでは、上記３つの情報を記憶する機能を備えた測定装置２について説明するが、測定装置２はこの構成に限られたものではなく、例えば測定値を示す測定データと測定値の最新日時を示す最新日時情報とを記録する測定装置２でもあってもよい。この場合、測定装置２は、データ表示装置１においてユーザによる機器選択が行われた結果、該測定装置２が選択されたときに、上記測定データの取得を行う機能を備えた構成であってもよい。さらに、測定装置２は、データ表示装置１の計時機能を利用することによって、上記最新日時情報に基づいて、取得した測定データの日付を逆算する機能を備えた構成であってもよい。
【００５１】
また、測定装置２は、データ表示装置１と接続された場合には、測定時に記憶した測定装置情報、測定時刻情報および測定データをデータ表示装置１に出力する機能を備えている。
【００５２】
なお、測定装置２は、この構成に限らず、データ表示装置１に接続されているときに測定を行った場合には、測定時刻情報および測定データをリアルタイムにデータ表示装置１に出力する構成であってもよい。また、データ表示装置１が通信を行う測定装置２は、上述した測定装置のうち、１つの測定装置（例えば歩数測定装置のみ）であってもよいし、複数の測定装置（例えば歩数測定装置、体重測定装置、血圧測定装置）であってもよい。
【００５３】
本発明に係るデータ表示装置１は、測定装置２と通信を行い、測定装置２の種類および個数に応じて表示レイアウトを決定し、該表示レイアウトを用いて該測定データ等を表示させるものである。なお、データ表示装置１の具体的な構成については後述する。
【００５４】
〔データ表示装置１の概略構成〕
測定装置と通信を行うデータ表示装置の概略構成について図１を用いて説明する。図１は、測定装置と通信を行うデータ表示装置の概略構成を示す機能ブロック図である。
【００５５】
本発明に係るデータ表示装置１は、上述のように、測定装置２から測定装置情報、測定時刻情報および測定データを受信し、測定装置２の種別および個数を判別することによって、表示レイアウトを決定し、該表示レイアウトを用いて該測定データ等を表示させるものである。データ表示装置１は、接続装置管理部（接続装置管理手段）１０１と、レイアウト決定部（画面生成情報決定手段）１０２と、データ管理部（測定総合情報受信手段）１０３と、データ格納部１０４と、レイアウト格納部１０５、画面生成部（画面生成手段）１０６と、画面表示部１０７と、受信部１０８とを備えている。
【００５６】
接続装置管理部１０１は、通信を行う測定装置２のうち、接続された（通信可能となった）測定装置２を検出すると共に、該検出した測定装置２の管理を行う機能を有する。具体的には、接続装置管理部１０１は、データ表示装置１と測定装置２とが接続されると、
該測定装置２から測定装置情報を検出し、該測定装置情報をレイアウト決定部１０２とデータ管理部１０３とに送信する。
【００５７】
なお、接続装置管理部１０１は、検出した測定装置情報から、接続されている測定装置２の個数を特定し、該個数を示す情報を測定装置情報に含めて、レイアウト決定部１０２に送信している。すなわち、接続装置管理部１０１は、接続されている測定装置２とその個数を管理するものである。
【００５８】
レイアウト決定部１０２は、画面生成部１０６がデータ表示画面を生成するときに用いる画面生成情報の決定を行う機能を有しており、後述の測定装置別グラフ管理テーブル（提示形態情報テーブル）２０１および測定装置個数別レイアウトテーブル（表示レイアウト情報テーブル）３０１を管理する。具体的には、レイアウト決定部１０２は、測定装置情報を受信すると、測定装置２の種別および個数を判別する。そして、レイアウト決定部１０２は、測定装置別グラフ管理テーブル２０１および測定装置個数別レイアウトテーブル３０１を参照することによって、該判別した測定装置２の種別および個数に対応する、グラフのタイトルおよびグラフの種類を示すグラフ生成情報と、データ表示用レイアウトを示す表示レイアウト情報とを画面生成情報として決定する。なお、上記グラフ生成情報とは、生体情報を示す測定データと、測定時刻情報等の生体情報の測定状況に関する測定情報とを含む測定総合情報の提示形態を示す提示形態情報である。
【００５９】
また、レイアウト決定部１０２が後述の注釈レイアウトテーブル１２０１およびグラフ色テーブル１３０１を管理する場合には、画面生成部１０６で生成されるデータ表示画面には、注釈レイアウトの挿入、グラフへの着色等が行われる。
【００６０】
データ管理部１０３は、測定装置２から受信するデータを管理する機能を有する。具体的には、データ管理部１０３は、接続装置管理部１０１から測定装置情報を受信すると、接続されている測定装置２から測定時刻情報および測定データを、受信部１０８を介して受信し、該測定時刻情報および測定データをデータ格納部１０４に格納する。すなわち、データ管理部１０３は、接続されている測定装置２での生体情報の測定状況に関する情報である測定総合情報を受信し、該測定総合情報をデータ格納部１０４に格納している。
【００６１】
データ格納部１０４は、データ管理部１０３が受信した測定時刻情報、測定データ等、該データ管理部１０３が接続されている測定装置２から受信したデータを格納するものである。そして、データ格納部１０４には、データ管理部１０３が受信したデータが時系列に格納されている。
【００６２】
なお、データ格納部１０４に格納されるデータおよび格納される形態は、これに限らず、測定装置２と接続を行っているときの接続時間を格納し、受信したデータが接続時間順に格納されてもよい。また、データ管理部１０３は、データ格納部１０４に受信した測定装置情報を格納し、受信したデータを測定装置情報別に格納してもよい。
【００６３】
レイアウト格納部１０５は、レイアウト決定部１０２が管理する測定装置個数別レイアウトテーブル３０１の「データ表示用レイアウト」に対応した表示レイアウトの形式（実体）が格納されている。
【００６４】
画面生成部１０６は、画面表示部１０７に表示させるデータ表示画面を生成する機能を有する。具体的には、画面生成部１０６は、レイアウト決定部１０２から画面生成情報を受信すると、該画面生成情報に含まれる表示レイアウト情報の示す表示レイアウトの形式をレイアウト格納部１０５から取得する。
【００６５】
また、画面生成部１０６は、該画面生成情報に含まれるグラフ生成情報の示すグラフのタイトルから接続されている測定装置２を判別すると、該測定装置２の測定時刻情報および測定データをデータ格納部１０４から取得する。なお、画面生成部１０６がデータ格納部１０４から必要な測定データを取得する方法は、これに限られたものではない。例えば測定装置別グラフ管理テーブル２０１には測定装置ＩＤが設定されており、画面生成部１０６は、該測定装置ＩＤでデータ格納部１０４と関連付けを行うことによって、データ格納部１０４から必要な測定データを取得してもよい。
【００６６】
そして、画面生成部１０６は、画面生成情報に含まれるグラフ生成情報の示すグラフの種類と、取得した測定時刻情報および測定データとから、表示すべきグラフを生成する。
【００６７】
画面生成部１０６は、取得した表示レイアウトの形式に、グラフのタイトル、グラフ、日付を挿入することによってデータ表示画面を生成する。なお、レイアウト決定部１０２が注釈レイアウトテーブル１２０１およびグラフ色テーブル１３０１を管理する場合には、画面生成部１０６は、レイアウト決定部１０２から注釈レイアウト情報またはグラフ色情報を受信する。この場合、画面生成部１０６は、データ表示画面への注釈レイアウトの挿入または該データ表示画面のグラフへの着色を行う。
【００６８】
画面生成部１０６は、データ表示画面を生成すると、該データ表示画面を画面表示部１０７に出力することによって、画面表示部１０７に該データ表示画面を表示させる。
【００６９】
受信部１０８は、上述したように、データ表示装置１が測定装置２と接続された場合に、測定装置２から測定装置情報、測定時刻情報、測定データ等を検出または受信する機能を有する。
【００７０】
また、受信部１０８は、上述のように、測定装置２と無線通信媒体または有線通信媒体を用いることによって通信を行う。上記無線通信媒体としては、赤外線通信、無線通信等（例えばＢｌｕｅｔｏｏｔｈ（登録商標）、Ｚｉｇｂｅｅ（登録商標）、特定小電力無線）が挙げられ、上記有線通信媒体としては、ＵＳＢ（universal serial bus）ケーブル等が挙げられる。なお、これらの通信媒体を用いることは、データ表示装置１が複数の測定装置２を検出する観点から有益である。
【００７１】
〔レイアウト決定部１０２にて管理されるテーブル例〕
次に、レイアウト決定部１０２にて管理される測定装置別グラフ管理テーブル２０１と測定装置個数別レイアウトテーブル３０１とについて、図２および図３を用いて説明する。図２は、レイアウト決定部１０２にて管理される測定装置別グラフ管理テーブル２０１の一例を示す図である。また、図３は、レイアウト決定部１０２にて管理される測定装置個数別レイアウトテーブル３０１の一例を示す図である。
【００７２】
図２に示すように、測定装置別グラフ管理テーブル２０１には、測定装置２の種別を示す「測定装置」と、該測定装置２に対応する「グラフのタイトル」および「グラフの種類」とを関連付けて記憶されている。
【００７３】
すなわち、「グラフのタイトル」には、接続装置管理部１０１にて検出された測定装置２の名称（または略称）が記憶されており、「グラフの種類」には、画面表示部１０７における該測定装置２での測定結果の表示に適したグラフの形態が記憶されている。
【００７４】
例えば、図２では、「測定装置」が「歩数測定装置」の場合には、これに対応する「グラフのタイトル」が「歩数」、「グラフの種類」が「棒」グラフと設定されており、「体重測定装置」の場合には、「グラフのタイトル」が「体重」、「グラフの種類」が「折線
」グラフと設定されている。また、「体脂肪測定装置」の場合には、「グラフのタイトル」が「体脂肪」、「グラフの種類」が「折線」グラフと設定され、「血圧測定装置」の場合には、「グラフのタイトル」が「血圧」、「グラフの種類」が「折線」グラフと設定されている。
【００７５】
また、図３に示すように、測定装置個数別レイアウトテーブル３０１には、接続された測定装置２の個数を示す「測定装置の個数」と、該測定装置２の個数に対応する「データ表示用レイアウト」とが関連付けて記憶されている。
【００７６】
例えば、接続装置管理部１０１が検出した測定装置２の個数が１つの場合（「測定装置の個数」が「１」の場合）には、「データ表示用レイアウト」が「単グラフレイアウト」と設定されている。また、「測定装置の個数」が「２」の場合には、「データ表示用レイアウト」が「双グラフレイアウト」と設定され、「測定装置の個数」が「３つ以上」の場合には、「データ表示用レイアウト」が「複合グラフレイアウト」と設定されている。
【００７７】
このように、レイアウト決定部１０２は、測定装置別グラフ管理テーブル２０１と測定装置個数別レイアウトテーブル３０１とを管理している。これにより、レイアウト決定部１０２は、接続装置管理部１０１から測定装置情報を受信した場合に、これらのテーブル参照して、画面生成部１０６に送信する画面生成情報を決定することができる。
【００７８】
なお、上記「単グラフレイアウト」、「双グラフレイアウト」および「複合グラフレイアウト」の一例については後述する。また、図２に示す測定装置別グラフ管理テーブル２０１と、図３に示す測定装置個数別レイアウトテーブル３０１のテーブル形態は、これに限られたものではない。
【００７９】
〔表示レイアウトの形式例〕
次に、図３に示す測定装置個数別レイアウトテーブル３０１の「データ表示用レイアウト」の各表示レイアウト情報に対応する、レイアウト格納部１０５に格納された各表示レイアウトの形式の一例について、図４〜図６を用いて説明する。図４は、レイアウト格納部１０５に格納された単グラフレイアウトの形式の一例を示すものである。図５は、レイアウト格納部１０５に格納された双グラフレイアウトの形式の一例を示すものである。図６は、レイアウト格納部１０５に格納された複合グラフレイアウトの形式の一例を示すものである。
【００８０】
なお、測定装置個数別レイアウトテーブル３０１の「データ表示用レイアウト」には、画面生成部１０６がレイアウト格納部１０５から表示レイアウトの形式を取得するための情報が記憶されている。すなわち、画面生成部１０６は、レイアウト決定部１０２から画面生成情報を受信すると、該画面生成情報から上記「データ表示用レイアウト」の表示レイアウト情報を抽出する。そして、画面生成部１０６は、抽出した表示レイアウト情報に対応する表示レイアウトの形式をレイアウト格納部１０５から取得する。
【００８１】
まず、図４に示す単グラフレイアウト４０１は、上述したように、接続装置管理部１０１にて検出された測定装置２が１つの場合に画面生成部１０６にて用いられる表示レイアウトである。図４に示すように、単グラフレイアウト４０１は、例えばタイトル表示エリア４０２と、単グラフ表示エリア４０３と、日付表示エリア４０４と、データ表示期間切替ボタン４０５とから形成されている。
【００８２】
タイトル表示エリア４０２は、レイアウト決定部１０２が決定する、図２に示す測定装置別グラフ管理テーブル２０１の「グラフのタイトル」を表示させるための領域である。すなわち、タイトル表示エリア４０２には、接続装置管理部１０１にて検出された測定装
置２に対応する名称がテキスト表示される領域である。
【００８３】
単グラフ表示エリア４０３は、レイアウト決定部１０２が決定する、測定装置別グラフ管理テーブル２０１の「グラフの種類」を表示させるための領域である。すなわち、単グラフ表示エリア４０３は、接続装置管理部１０１にて検出された測定装置２に対応するグラフ（すなわち、該測定装置２での測定結果を表示するのに適したグラフ）が表示される領域である。この場合、画面生成部１０６は、データ格納部１０４から上記測定装置２に対応する測定データを取得することによって、単グラフ表示エリア４０３に上記グラフを生成する。
【００８４】
日付表示エリア４０４には、単グラフ表示エリア４０３に生成されるグラフに対応し、かつ、選択されたデータ表示期間切替ボタン４０５に対応した日付を表示するための領域である。なお、データ表示期間切替ボタン４０５は、単グラフ表示エリア４０３に生成されるグラフの期間を切替えるためのボタンであり、単グラフレイアウト４０１には、例えば「１週間」、「１ヶ月」、・・・、「１年間」と設定されている。
【００８５】
例えば、データ表示期間切替ボタン４０５の「１週間」が選択されている場合には、画面生成部１０６は、計時部（図示しない）によって計時される現在日および現在時刻を示す現在時刻情報から該現在日の１週間前の日付を求め、該現在日と該１週間前の日付とを日付表示エリア４０４に挿入する。
【００８６】
次に、図５に示す双グラフレイアウト５０１は、上述したように、接続装置管理部１０１にて検出された測定装置２が２つの場合に画面生成部１０６にて用いられる表示レイアウトである。図５に示すように、双グラフレイアウト５０１は、例えばタイトル１表示エリア５０２と、タイトル２表示エリア５０３と、双グラフ表示エリア５０４と、日付表示エリア５０５と、データ表示期間切替ボタン５０６とから形成されている。なお、日付表示エリア５０５およびデータ表示期間切替ボタン５０６のレイアウトは、上述した日付表示エリア４０４およびデータ表示期間切替ボタン４０５と同様のレイアウトであるため、ここではその説明を省略する。
【００８７】
タイトル１表示エリア５０２とタイトル２表示エリア５０３とは、図４に示すタイトル表示エリア４０２と同様、レイアウト決定部１０２が決定する、図２に示す測定装置別グラフ管理テーブル２０１の「グラフのタイトル」を表示させるための領域である。
【００８８】
双グラフ表示エリア５０４も、図４に示す単グラフ表示エリア４０３と同様、レイアウト決定部１０２が決定する、測定装置別グラフ管理テーブル２０１の「グラフの種類」を表示させるための領域である。
【００８９】
但し、双グラフ表示エリア５０４には、タイトル１表示エリア５０２およびタイトル２表示エリア５０３に対応する２つの測定装置２での測定結果を示す２つのグラフが合成されて表示される。このとき、合成される２つのグラフが棒グラフと折線グラフとであった場合に、例えば折線グラフが棒グラフの後ろに表示されてしまうと、棒グラフと重なる部分が見えなくなってしまう可能性がある。
【００９０】
このため、該画面生成部１０６には、例えば「画面生成部１０６が、折線グラフを最前面に表示するようにグラフを合成する」とした設定が予めなされていてもよい。また、レイアウト決定部１０２は、測定装置別グラフ管理テーブル２０１の「グラフの種別」と、画面生成部１０６が生成するグラフの表示の優先順位を示す優先順位情報とを関連つけて管理していてもよい。この場合、レイアウト決定部１０２は、画面生成情報にこの優先順位情報も含めて画面生成部１０６に送信する。そして、画面生成部１０６は、この優先順
位情報を受信すると、優先順位の高いグラフが最前面に表示されるように、双グラフ表示エリア５０４にグラフを生成する。
【００９１】
また、合成される２つのグラフが棒グラフと棒グラフとであった場合には、画面生成部１０６は、単グラフレイアウト４０１の場合に生成する棒グラフ１本の横幅（時間軸方向）を基準として、合成する棒グラフの数（この場合は２）で分割した幅で双グラフ表示エリア５０４に２つのグラフを生成してもよい。
【００９２】
次に、図６に示す複合グラフレイアウト６０１は、上述したように、接続装置管理部１０１にて検出された測定装置２が３つ以上の場合に画面生成部１０６にて用いられる表示レイアウトである。図６に示すように、複合グラフレイアウト６０１は、例えばタイトルボタン表示エリア６０２と、複合グラフ表示エリア６０３と、日付表示エリア６０４と、データ表示期間切替ボタン６０５とから形成されている。なお、日付表示エリア６０４およびデータ表示期間切替ボタン６０５のレイアウトは、上述した日付表示エリア４０４およびデータ表示期間切替ボタン４０５と同様のレイアウトであるため、ここではその説明を省略する。
【００９３】
タイトルボタン表示エリア６０２は、レイアウト決定部１０２が決定する、図２に示す測定装置別グラフ管理テーブル２０１の「グラフのタイトル」を表示させるためのタイトルボタン６０６を表示する領域である。
【００９４】
タイトルボタン６０６は、タイトルボタン表示エリア６０２に表示されるボタンの一例であり、該タイトルボタン６０６の数、大きさ、タイトルボタン表示エリア６０２に配置される位置は、検出された測定装置２の個数によって自動的に割り当てられる。
【００９５】
すなわち、レイアウト決定部１０２は、測定装置２の個数が３つ以上と判別した場合、表示レイアウト情報に測定装置２の個数情報を含めて、画面生成部１０６に送信する。画面生成部１０６は、表示レイアウト情報を受信すると、レイアウト格納部１０５から「複合グラフレイアウト」の形式を取得すると共に、タイトルボタン６０６の数、大きさ、タイトルボタン表示エリア６０２に配置される位置を決定する。そして、画面生成部１０６は、タイトルボタン６０６内の「タイトル」に、表示レイアウト情報に含まれる、図２に示す測定装置別グラフ管理テーブル２０１の「グラフのタイトル」を表示させるように生成する。
【００９６】
画面生成部１０６は、レイアウト決定部１０２によって測定装置２の個数が３つ以上と判別された場合の画面生成情報すると、該画面生成情報に含まれるグラフ生成情報のグラフのタイトル（図２に示す測定装置別グラフ管理テーブル２０１の「グラフのタイトル」）から、必要なタイトルボタン６０６の数を決定する。そして、画面生成部１０６は、決定したタイトルボタン６０６の数に応じて、該タイトルボタン６０６の大きさ、タイトルボタン表示エリア６０２に配置される位置を決定する。このとき、画面生成部１０６は、タイトルボタン６０６内の「タイトル」に、上記「グラフのタイトル」を挿入する。
【００９７】
複合グラフ表示エリア６０３も、図４に示す単グラフ表示エリア４０３と同様、レイアウト決定部１０２が決定する、測定装置別グラフ管理テーブル２０１の「グラフの種類」を表示させるための領域である。
【００９８】
但し、複合グラフ表示エリア６０３には、双グラフ表示エリア５０４の場合と同様、タイトルボタン表示エリア６０２に表示されるタイトルボタン６０６に対応する３つ以上の測定装置２での測定結果を示す３つ以上のグラフが合成されて表示される。そこで、複合グラフ表示エリア６０３が生成される場合、双グラフ表示エリア５０４の場合と同様の設
定が、レイアウト決定部１０２と画面生成部１０６とが設定されていてもよい。
【００９９】
すなわち、例えば「画面生成部１０６が、折線グラフを最前面に表示するようにグラフを合成する」とした設定が、該画面生成部１０６に予めなされていてもよい。また、レイアウト決定部１０２は、測定装置別グラフ管理テーブル２０１の「グラフの種別」と、画面生成部１０６が生成するグラフの表示の優先順位を示す優先順位情報とを関連付けて管理していてもよい。
【０１００】
また、画面生成部１０６は、タイトルボタン６０６と複合グラフ表示エリア６０３に表示されるグラフとがそれぞれ対応付けていてもよい。この場合、画面生成部１０６は、利用者によってタイトルボタン６０６の操作が行われたことを検知すると、検知したタイトルボタン６０６に対応するグラフを最前面に表示させるようにデータ表示画面を生成する。この場合のデータ表示画面の具体例については後述する。
【０１０１】
なお、タイトルボタン表示エリア６０２には、タイトルボタン６０６が生成されることにより、図２に示す測定装置別グラフ管理テーブル２０１の「グラフのタイトル」を表示させていたが、これに限られたものではない。例えば、上述のように、複合グラフ表示エリア６０３に表示されるグラフに対して優先順位が設定されている場合には、画面生成部１０６は、図４に示すタイトル表示エリア４０２と同様、上記「グラフのタイトル」をテキスト表示させるように生成してもよい。
【０１０２】
一方、双グラフレイアウト５０１のタイトル１表示エリア５０２およびタイトル２表示エリア５０３では、上記「グラフのタイトル」がテキスト表示されているが、これに限られたものではない。すなわち、画面生成部１０６は、タイトル１表示エリア５０２およびタイトル２表示エリア５０３に、タイトルボタン６０６を配置し、該タイトルボタン６０６と双グラフ表示エリア５０４に表示されるグラフとをそれぞれ対応付けていてもよい。
【０１０３】
なお、上記データ表示期間切替ボタン４０５およびタイトルボタン６０６の選択は、図示しない入力管理部によって判定されてもよい。この場合、入力管理部は、データ表示期間切替ボタン４０５およびタイトルボタン６０６の選択が行われると、該データ表示期間切替ボタン４０５およびタイトルボタン６０６の何れが選択されたかを検出する。そして、入力管理部は、この検出結果を画面生成部１０６に送信する。
【０１０４】
〔データ表示装置１における処理の流れ〕
次に、本発明に係るデータ表示装置１における処理の流れについて、図７を用いて説明する。図７は、本発明に係るデータ表示装置１における処理の流れを示すフローチャートである。
【０１０５】
まず、接続装置管理部１０１は、接続された測定装置２を検出したか否かを判定する（Ｓ７０１）。具体的には、接続装置管理部１０１は、接続された測定装置２から測定装置情報を、受信部１０８を介して検出したか否かを判定する。
【０１０６】
接続装置管理部１０１は、測定装置２から測定装置情報を検出したと判定すると（Ｓ７０１でＹＥＳ）、該測定装置情報をレイアウト決定部１０２に送信する。レイアウト決定部１０２は、測定装置情報を受信すると、該レイアウト決定部１０２が管理する測定装置別グラフ管理テーブル２０１と測定装置個数別レイアウトテーブル３０１とを参照することによって、測定データを表示するための表示レイアウトを決定する。
【０１０７】
具体的には、レイアウト決定部１０２は、受信した測定装置情報から、データ表示装置１と接続された測定装置２の種別（すなわち測定装置２）と測定装置２の個数とを判別す
る。次に、レイアウト決定部１０２は、図２に示す測定装置別グラフ管理テーブル２０１を参照して、測定装置情報から判別した測定装置２に対応するグラフのタイトルおよびグラフの種類を決定する。また、レイアウト決定部１０２は、図３に示す測定装置個数別レイアウトテーブル３０１を参照して、測定装置情報から判別した測定装置２の個数に対応するデータ表示用レイアウトを決定する。
【０１０８】
すなわち、レイアウト決定部１０２は、測定装置情報から「測定装置」と「測定装置の個数」とを判別する。レイアウト決定部１０２は、この判別結果から、「グラフのタイトル」および「グラフの種類」を示すグラフ生成情報と、「データ表示用レイアウト」を示す表示レイアウト情報とを、画面生成情報として決定する（Ｓ７０２）。なお、Ｓ７０１でＮＯの場合、Ｓ７０１の処理に戻る。
【０１０９】
また、Ｓ７０１でＹＥＳの場合、接続装置管理部１０１は、検出した測定装置情報をデータ管理部１０３にも送信する。すなわち、接続装置管理部１０１は、データ管理部１０３に測定装置情報を送信することにより、該データ管理部１０３に該測定装置情報に示される測定装置２からのデータ受信を指示する。データ管理部１０３は、接続装置管理部１０１から測定装置情報を受信する（すなわち、測定データの受信指示を与えられる）と、接続されている測定装置２から測定時刻情報および測定データを受信し、該測定時刻情報および測定データをデータ格納部１０４に格納する。
【０１１０】
Ｓ７０２の処理において、レイアウト決定部１０２が画面生成情報を決定すると、該画面生成情報を画面生成部１０６に送信する。画面生成部１０６は、画面生成情報を受信すると、レイアウト格納部１０５から該画面生成情報に含まれる表示レイアウト情報に対応する表示レイアウトの形式を取得する。また、画面生成部１０６は、画面生成情報に含まれるグラフ生成情報から、グラフ生成に必要な測定データを決定し、データ格納部１０４に格納された該測定データを取得すると共に、グラフの形状を決定する。すなわち、画面生成部１０６は、レイアウト格納部１０５およびデータ格納部１０４から取得した表示レイアウトの形式および測定データを用いて、画面表示部１０７に表示させるデータ表示画面を生成する（Ｓ７０３）。そして、画面生成部１０６は、生成したデータ表示画面を画面表示部１０７に出力して、画面表示部１０７の画面上に該データ表示画面を表示させる（Ｓ７０４）。
【０１１１】
〔画面生成部１０６により生成されるデータ表示画面例〕
次に、図７に示すデータ表示装置１における処理を通じて、画面生成部１０６によって生成されるデータ表示画面について、図８〜図１１を用いて説明する。図８は、画面生成部１０６によって生成されるデータ表示画面の一例を示すものであり、接続装置管理部１０１によって検出された測定装置情報が「歩数測定装置」である場合のデータ表示画面８０１を示す図である。
【０１１２】
図８に示すデータ表示画面８０１は、接続装置管理部１０１が測定装置情報として「歩数測定装置」を検出した場合に、画面生成部１０６によって生成されたものである。この場合、接続装置管理部１０１にて検出された測定装置２の個数は１つであるため、レイアウト決定部１０２は、図３に示す測定装置個数別レイアウトテーブル３０１の「データ表示用レイアウト」の「単グラフレイアウト」を表示レイアウト情報として取得する。すなわち、データ表示画面８０１は、画面生成部１０６が、レイアウト格納部１０５から単グラフレイアウト４０１の形式を取得することによって生成したものである。
【０１１３】
なお、データ表示画面８０１では、データ表示期間が「１週間」単位のグラフが表示されている。すなわち、画面生成部１０６によってデータ表示画面８０１が生成される場合には、図４に示すデータ表示期間切替ボタン４０５の「１週間」が、該画面生成部１０６
にデフォルトとして設定されているものとする。
【０１１４】
次に、図９に示すデータ表示画面９０１は、接続装置管理部１０１が測定装置情報として「歩数測定装置」と「体重測定装置」とを検出した場合に、画面生成部１０６によって生成されたものである。なお、図９は、画面生成部１０６によって生成されるデータ表示画面の一例を示すものであり、接続装置管理部１０１によって検出された測定装置情報が「歩数測定装置」と「体重測定装置」とである場合のデータ表示画面９０１を示す図である。
【０１１５】
この場合、接続装置管理部１０１にて検出された測定装置２の個数は２つであるため、レイアウト決定部１０２は、図３に示す測定装置個数別レイアウトテーブル３０１の「データ表示用レイアウト」の「双グラフレイアウト」を表示レイアウト情報として取得する。すなわち、データ表示画面９０１は、画面生成部１０６が、レイアウト格納部１０５から双グラフレイアウト５０１の形式を取得することによって生成したものである。
【０１１６】
なお、データ表示画面９０１では、図８に示すデータ表示画面８０１と同様に、データ表示期間が「１週間」単位のグラフが表示されている。すなわち、画面生成部１０６によってデータ表示画面９０１が生成される場合には、図５に示すデータ表示期間切替ボタン５０６の「１週間」が、該画面生成部１０６にデフォルトとして設定されているものとする。
【０１１７】
また、上述のように、データ表示画面９０１に表示されている棒グラフと折線グラフとに対して優先順位が設定されている場合には、画面生成部１０６は、この優先順位に従って２つのグラフを合成する。データ表示画面９０１では、棒グラフより折線グラフの方が優先順位が高く設定されている。
【０１１８】
次に、図１０に示すデータ表示画面１００１と図１１に示すデータ表示画面１１０１とは、接続装置管理部１０１が測定装置情報として「歩数測定装置」と「体重測定装置」と「血圧測定装置」とを検出した場合に、画面生成部１０６によって生成されたものである。なお、図１０は、画面生成部１０６によって生成されるデータ表示画面の一例を示すものであり、接続装置管理部１０１によって検出された測定装置情報が「歩数測定装置」と「体重測定装置」と「血圧測定装置」とである場合に、歩数測定装置の測定結果を示すグラフが最前面に表示されているデータ表示画面１００１を示す図である。また、図１１は、画面生成部１０６によって生成されるデータ表示画面の一例を示すものであり、接続装置管理部１０１によって検出された測定装置情報が「歩数測定装置」と「体重測定装置」と「血圧測定装置」とである場合に、血圧測定装置の測定結果を示すグラフが最前面に表示されているデータ表示画面１１０１を示す図である。
【０１１９】
この場合、接続装置管理部１０１にて検出された測定装置２の個数は３つであるため、レイアウト決定部１０２は、図３に示す測定装置個数別レイアウトテーブル３０１の「データ表示用レイアウト」の「複合グラフレイアウト」を表示レイアウト情報として取得する。すなわち、データ表示画面１００１、１１０１は、画面生成部１０６が、レイアウト格納部１０５から複合グラフレイアウト６０１の形式を取得することによって生成したものである。
【０１２０】
なお、データ表示画面１００１、１１０１では、図８に示すデータ表示画面８０１と同様に、データ表示期間が「１週間」単位のグラフが表示されている。すなわち、画面生成部１０６によってデータ表示画面１００１、１１０１が生成される場合には、図６に示すデータ表示期間切替ボタン６０５の「１週間」が、該画面生成部１０６にデフォルトとして設定されているものとする。
【０１２１】
また、データ表示画面１００１、１１０１は、図６の説明にて述べたように、画面生成部１０６によって、タイトルボタン６０６と複合グラフ表示エリア６０３に表示されるグラフとそれぞれ対応付けられている場合に生成されるものである。
【０１２２】
例えば、データ表示画面１００１は、画面生成部１０６が、「歩数」を示すタイトルボタン６０６の操作が行われたことを検知した場合に生成したものである。すなわち、画面生成部１０６は、「歩数」を示すタイトルボタン６０６の操作が行われたことを検知すると、歩数測定装置の測定結果を示す棒グラフを最前面に表示したデータ表示画面１００１を生成する。
【０１２３】
また、データ表示画面１１０１は、画面生成部１０６が、「血圧」を示すタイトルボタン６０６の操作が行われたことを検知した場合に生成したものである。すなわち、画面生成部１０６は、「血圧」を示すタイトルボタン６０６の操作が行われたことを検知すると、血圧測定装置の測定結果を示す折線グラフを最前面に表示したデータ表示画面１１０１を生成する。なお、データ表示画面１１０１の折線グラフ１１０２は、最高血圧を示すグラフであり、折線グラフ１１０３は、最低血圧を示すグラフである。
【０１２４】
〔レイアウト決定部１０２にて管理されるテーブルの他の例〕
次に、レイアウト決定部１０２が、注釈レイアウトテーブル１２０１とグラフ色テーブル１３０１とを管理する場合について、図１２〜図１４を用いて説明する。図１２は、レイアウト決定部１０２によって管理される注釈レイアウトテーブル１２０１を示す図である。また、図１３は、レイアウト決定部１０２によって管理されるグラフ色テーブル１３０１を示すものである。
【０１２５】
図１２に示すように、注釈レイアウトテーブル１２０１には、レイアウト決定部１０２が注釈レイアウトを挿入の有無を判別するための「トリガー」と、測定結果以外の情報を示す「注釈レイアウト」と、該「注釈レイアウト」を表示させる状態を示す「表示状態」とが関連付けて記憶されている。
【０１２６】
例えば、注釈レイアウトテーブル１２０１の２行目には、「トリガー」が「現在日が３月２０日〜４月１０日の場合」と設定されており、これに対応する「注釈レイアウト」が「桜の壁紙」、「表示状態」が「最背面」と設定されている。また、注釈レイアウトテーブル１２０１の３行目には、「トリガー」が「現在日が１１月１６日の場合」と設定されており、これに対応する「注釈レイアウト」が「バースデーの壁紙」、「表示状態」が「最背面」と設定されている。
【０１２７】
すなわち、上記「注釈レイアウト」には、予め設定された設定日（設定時刻）に対応付けて、例えば上述のような季節感を示す壁紙、利用者特有の情報等を示す壁紙等の該設定時刻に関連する設定時刻関連情報が設定されている。これにより、レイアウト決定部１０２が注釈レイアウトテーブル１２０１を管理する場合には、データ表示装置１は、設定時刻に関連した情報を用いてデータ表示画面を生成することができるため、利用者の嗜好に沿ったデータ表示を行うことができる。また、データ表示装置１は、利用者が飽きることなく健康管理の継続を行うことが可能な環境を提供することができる。
【０１２８】
さらに、注釈レイアウトテーブル１２０１の４行目には、「トリガー」が「体重測定装置が検出された場合」と設定されている。そして、この「トリガー」に対応して、「注釈レイアウト」が「矢印のレイアウト（３日間連続体重増加が検出された場合に、その期間のグラフのやや上方に右肩上がりに表示される矢印のレイアウト）」、「表示状態」が「体重グラフの前面」と設定されている。
【０１２９】
また、注釈レイアウトテーブル１２０１の５行目には、「トリガー」が「歩数測定装置が検出された場合」と設定されている。そして、この「トリガー」に対応して、「注釈レイアウト」が「噴出しメッセージのレイアウト（予め設定された歩数の目標値を超えた場合に、該目標値を超えた日のグラフの上部に表示される噴出しメッセージのレイアウト）」、「表示状態」が「歩数グラフの前面」と設定されている。
【０１３０】
すなわち、注釈レイアウトテーブル１２０１には、測定装置２と、強調表示すべき該測定装置２の測定データ（すなわち、該測定データから得られるグラフ）とが対応付けられている。この場合、上記「注釈レイアウト」には、上記測定データを強調表示させるための強調表示情報（すなわち、利用者への注意を促す表示情報）が設定されている。
【０１３１】
これにより、レイアウト決定部１０２が注釈レイアウトテーブル１２０１を管理する場合には、データ表示装置１は、強調表示情報を用いてデータ表示画面を生成することができるため、利用者の嗜好に沿ったデータ表示を行うことができる。また、データ表示装置１は、利用者が飽きることなく健康管理の継続を行うことが可能な環境を提供することができる。
【０１３２】
ここで、レイアウト決定部１０２が注釈レイアウトテーブル１２０１を参照する場合のデータ表示装置１における処理について説明する。
【０１３３】
レイアウト決定部１０２は、接続装置管理部１０１から測定装置情報を受信すると、計時部（図示しない）によって計時される現在時刻（または現在日）を示す現在時刻情報と、データ格納部１０４に格納された測定データを検出する。その後、レイアウト決定部１０２は、注釈レイアウトテーブル１２０１の「トリガー」の示す情報と現在時刻情報または測定装置情報とが一致するか否かを判定する。
【０１３４】
レイアウト決定部１０２は、上記「トリガー」の示す情報と現在時刻情報とが一致した場合には、上記「注釈レイアウト」および「表示状態」の示す情報を、注釈レイアウト情報として画面生成部１０６に送信する。
【０１３５】
一方、レイアウト決定部１０２は、上記「トリガー」の示す情報と測定装置情報とが一致した場合には、検出した測定データを解析して、上記「注釈レイアウト」の示す情報を取得するか否かを判定する。
【０１３６】
例えば、レイアウト決定部１０２は、受信した測定装置情報が体重測定装置を示す場合には、検出した測定データを用いて３日間連続して体重値が増加しているか否かを判定する。あるいは、レイアウト決定部１０２は、受信した測定装置情報が歩数測定装置を示す場合には、検出した測定データを用いて、例えば予め設定された日数の歩数を算出し、該算出した歩数が予め設定された歩数の目標値を超えたか否かを判定する。
【０１３７】
そして、レイアウト決定部１０２は、３日間連続して体重値が増加していると判定した場合、あるいは上記算出した歩数が予め設定された目標値を超えたと判定した場合には、上記「注釈レイアウト」の示す情報を取得すると判定する。レイアウト決定部１０２は、上記「注釈レイアウト」の示す情報を取得すると、該情報に対応する「表示状態」の示す情報も取得し、該「注釈レイアウト」および「表示状態」の示す情報を、注釈レイアウト情報として画面生成部１０６に送信する。
【０１３８】
すなわち、レイアウト決定部１０２は、上記「トリガー」の示す情報と測定装置情報が一致した場合であっても、検出した測定データの解析した結果によっては、上記「注釈レ
イアウト」の示す情報を取得する必要がない。
【０１３９】
画面生成部１０６は、注釈レイアウト情報を受信すると、上記「注釈レイアウト」の示す情報（図１２では、壁紙またはレイアウト）を上記「表示状態」の示す情報に従って、データ表示画面を生成する。
【０１４０】
なお、画面生成部１０６は、図６に示す複合グラフレイアウト６０１を用いてデータ表示画面が生成する場合には、該複合グラフレイアウト６０１のタイトルボタン６０６への操作に連動するように、上記「注釈レイアウト」の示す情報の表示状態を変更してもよい。例えば画面生成部１０６は、利用者により操作されたタイトルボタン６０６に対応したグラフが最前面に表示されるとき、該グラフに対応した注釈レイアウト（例えば、噴出しメッセージのレイアウト）も最前面に表示させるようにしてもよい。
【０１４１】
また、「注釈レイアウト」には、上述した壁紙、矢印のレイアウトおよび噴出しメッセージのレイアウトが直接設定されていてもよいが、これに限らず、該壁紙およびレイアウトの格納場所を示すアドレス情報等が設定されていてもよい。
【０１４２】
さらに、上記「矢印のレイアウト」は、例えば３日間連続体重減少が検出された場合に、該３日間連続の体重減少を示すグラフのやや上方に右肩下がりに表示されるものであってもよい。また、噴出しメッセージのレイアウトについても、例えば利用者にとって好ましくない解析結果が出た場合に、該解析結果および該解析結果に関連する情報をグラフの最前面に表示されるメッセージレイアウトとしてもよい。
【０１４３】
さらに、注釈レイアウトテーブル１２０１の「表示状態」は、優先順位を示す優先順位情報を含んでいてもよい。この場合、上記「表示状態」に示される値が同じ場合であっても、画面生成部１０６は、優先順位の高い注釈レイアウトを前面に表示させることができる。
【０１４４】
また、図１３に示すグラフ色テーブル１３０１には、グラフに着色するか否かを判別するための「トリガー」と、着色するときの色および着色を行うグラフを示す「グラフの色」とが関連付けて記憶されている。
【０１４５】
例えば、グラフ色テーブル１３０１の２行目には、「トリガー」が「歩数測定装置が検出された場合」と設定されており、これに対応する「グラフの色」が「赤色（歩数が目標値の５０％未満の場合）」と設定されている。
【０１４６】
すなわち、グラフ色テーブル１３０１には、測定装置２と、強調表示すべき該測定装置２の測定データ（すなわち、該測定データから得られるグラフ）とが対応付けられている。この場合、上記「グラフの色」には、上記測定データを強調表示させるための強調表示情報が設定されている。
【０１４７】
これにより、レイアウト決定部１０２がグラフ色テーブル１３０１を管理する場合には、データ表示装置１は、強調表示情報を用いてデータ表示画面を生成することができるため、利用者の嗜好に沿ったデータ表示を行うことができる。また、データ表示装置１は、利用者が飽きることなく健康管理の継続を行うことが可能な環境を提供することができる。
【０１４８】
ここで、レイアウト決定部１０２がグラフ色テーブル１３０１を参照する場合のデータ表示装置１における処理について説明する。
【０１４９】
レイアウト決定部１０２は、接続装置管理部１０１から測定装置情報を受信すると、グラフ色テーブル１３０１の「トリガー」の示す情報と測定装置情報（ここでは、歩数測定装置）とが一致するか否かを判定する。
【０１５０】
レイアウト決定部１０２は、上記「トリガー」の示す情報と測定装置情報とが一致した場合には、上記「グラフの色」の示す情報を、グラフ色情報として画面生成部１０６に送信する。そして、画面生成部１０６は、グラフ色情報を受信すると、上記「グラフの色」の示す情報（図１２では、歩数が目標値の５０％未満のグラフに赤色を着色することを示す情報）を用いて、データ表示画面のグラフに着色する。すなわち、画面生成部１０６は、データ格納部１０４から取得する測定データ（ここでは、歩数を示すデータ）の中に、目標値の５０％未満を示す測定データが存在する場合には、該測定データから生成されるグラフの色を赤色に変更する。
【０１５１】
なお、グラフ色テーブル１３０１には、上記に限らず、例えば現在日の「時間帯」と「グラフの色」とを関連付けて記憶されていてもよい。例えば、グラフ色テーブル１３０１の「時間帯」が「１３時〜１５時」、「グラフの色」が「朱色」と設定されているとする。この場合、レイアウト決定部１０２は、上記「時間帯」と現在時刻とが一致するか否かを判定する。そして、レイアウト決定部１０２は、上記「時間帯」と現在時刻とが一致すると判定した場合には、該判定結果を画面生成部１０６に送信する。画面生成部１０６は、この判定結果を受信すると、データ表示画面のグラフの色を朱色に変更する。これにより、データ表示装置１は、一日の時間帯のイメージに沿ったグラフ色を提供することができる。
【０１５２】
また、画面生成部１０６は、グラフ色テーブル１３０１に設定された幾つかのパターンに従って、データ表示画面のグラフに着色を行ってもよい。つまり、グラフ色テーブル１３０１には、１つのトリガーに対応付けて幾つかのグラフ色のパターンが設定されており、画面生成部１０６は、該パターンに従ってグラフに着色を行ってもよい。
【０１５３】
具体的には、グラフ色テーブル１３０１において、「トリガー」が「歩数測定装置が検出された場合」を例にすると、「グラフの色」には、このトリガーに対応付けて、「赤色（歩数が目標値の５０％未満の場合）」以外にも「黄色（歩数が目標値の１００％以上の場合）」あるいは「灰色（歩数が前日よりも２０％ダウンしていた場合）」等が設定されている。
【０１５４】
さらに、上記パターンに優先順位がつけられていてもよい。具体的には、グラフ色テーブル１３０１には、例えば「赤色（歩数が目標値の５０％未満の場合）」および「黄色（歩数が目標値の１００％以上の場合）」よりも「灰色（歩数が前日よりも２０％ダウンしていた場合）」のパターンの優先順位が高く設定されているものとする。このとき画面生成部１０６は、測定装置２の測定した歩数が目標値の５０％未満、あるいは、目標値以上であったとしても、前日の歩数よりも２０％ダウンしていた場合には、「灰色」でグラフの着色を行ってもよい。
【０１５５】
ここで、図１４（ａ）〜図１４（ｃ）は、レイアウト決定部１０２が上述した注釈レイアウトテーブル１２０１またはグラフ色テーブル１３０１を参照する場合のデータ表示装置１の処理を通じて、画面生成部１０６によって生成されるデータ表示画面を示す図である。
【０１５６】
図１４（ａ）に示すデータ表示画面１４０１は、現在日が１１月１６日であり、接続装置管理部１０１が検出した測定装置情報が「歩数測定装置」である場合の画面表示例を示している。
【０１５７】
データ表示画面１４０１では、グラフの最背面には、注釈レイアウトとして「バースデーの壁紙」が表示されると共に、噴出しメッセージ（「目標達成！」）のレイアウトが表示されている。また、データ表示画面１４０１では、歩数が目標値の５０％未満である日の棒グラフには「赤色」が着色されている。なお、データ表示画面１４０１では、目標値の表示も行われている。
【０１５８】
また、図１４（ｂ）に示すデータ表示画面１４０２は、現在日が１１月１６日であり、接続装置管理部１０１が検出した測定装置情報が「歩数測定装置」、「体重測定装置」および「血圧測定装置」である場合の画面表示例を示している。なお、データ表示画面１４０２では、「体重」を示すタイトルボタンが選択されている。
【０１５９】
データ表示画面１４０２では、矢印のレイアウトと噴出しメッセージのレイアウトとが表示されていると共に、歩数が目標値の５０％未満である日の棒グラフには「赤色」が着色されている。また、データ表示画面１４０２では、「体重」を示すタイトルボタンに対応したグラフが最前面に表示されていると共に、該グラフに対応する注釈レイアウト（この場合、矢印のレイアウト）が最前面に表示されている。
【０１６０】
さらに、図１４（ｃ）に示すデータ表示画面１４０３は、図１４（ｂ）と同様の場合で、「歩数」を示すタイトルボタンが選択されている場合の画面表示例を示すものである。データ表示画面１４０２では、「歩数」を示すタイトルボタンに対応したグラフが最前面に表示されていると共に、該グラフに対応した注釈レイアウト（この場合、噴出しメッセージのレイアウトおよび赤色に着色されたグラフ）が最前面に表示されている。
【０１６１】
以上のように、データ表示装置１では、レイアウト決定部１０２は、接続されている測定装置２の種別と個数とを判別することによって画面表示情報を決定すると共に、該画面表示情報を画面生成部１０６に送信する。画面生成部１０６は、画面生成情報に対応する表示レイアウトの形式、測定データおよび測定時刻情報とを用いて、データ表示画面を生成すると共に、画面表示部１０７に該データ表示画面を表示させる。
【０１６２】
これにより、データ表示装置１は、データ表示装置１が通信を行うことが可能な測定装置２の種別および個数に対応したデータ表示を行うことができる。従って、データ表示装置１は、測定装置２の数に関わらず、利用者が見やすいデータ表示を行うことができる。
【０１６３】
また、データ表示装置１では、レイアウト決定部１０２は、測定装置別グラフ管理テーブル２０１と測定装置個数別レイアウトテーブル３０１とを管理するため、それぞれに記憶されたグラフ生成情報と表示レイアウト情報とを適宜変更することができる。すなわち、データ表示装置１は、該データ表示装置１と接続されている測定装置２の種別および個数に対応したデータ表示を適宜変更することができるため、利用者がより見やすいデータ表示を行うことができる。
【０１６４】
また、データ表示装置１は、レイアウト決定部１０２が注釈レイアウトテーブル１２０１およびグラフ色テーブル１３０１を管理する場合には、測定装置、現在時刻（または現在日）、測定データ等に応じて、データ表示方法を変更することができる。これにより、データ表示装置１は、利用者の嗜好に沿ったデータ表示を行うことが可能となる。
【０１６５】
〔実施形態２〕
本発明の他の実施形態について図１５〜図１８に基づいて説明すると以下の通りである。なお、実施形態１と同一の機能を有する部材については、同一の符号を付記し、その説明は省略する。
【０１６６】
〔データ表示装置１ａの概略構成〕
本実施形態に係るデータ表示装置１ａは、図１５に示すように、レイアウト提示画面生成部１５０１（提示画面生成手段）と、入力管理部（入力管理手段）１５０２と、レイアウト決定部（画面生成情報決定手段）１５０３とを備えている点で、実施形態１に係るデータ表示装置１とは異なる。すなわち、データ表示装置１ａは、データ表示画面の生成を利用者による入力操作によって決定する点で、実施形態１に係るデータ表示装置１とは異なる。なお、図１５は、本実施形態に係るデータ表示装置１ａの概略構成を示す機能ブロック図である。
【０１６７】
本実施形態に係るデータ表示装置１ａは、接続装置管理部１０１と、データ管理部１０３と、データ格納部１０４と、レイアウト格納部１０５、画面生成部１０６と、画面表示部１０７と、受信部１０８と、レイアウト提示画面生成部１５０１と、入力管理部１５０２と、レイアウト決定部１５０３とを備えている。
【０１６８】
レイアウト提示画面生成部１５０１は、画面表示部１０７に表示させるレイアウト提示画面を生成する機能を有する。具体的には、画面生成部１０６は、レイアウト決定部１０２からグラフ生成情報を受信すると、該グラフ生成情報からレイアウトの候補名となるテキストを生成する。そして、レイアウト提示画面生成部１５０１は、予め記憶されたレイアウト提示画面を示す表示レイアウトの形式の所定の位置に、生成したテキストを挿入することにより、レイアウト提示画面を生成する。すなわち、レイアウト提示画面生成部１５０１が生成するレイアウト提示画面とは、接続装置管理部１０１が検出した測定装置２を提示する測定装置提示画面である。
【０１６９】
入力管理部１５０２は、利用者による入力操作を取得したか否かを判定すると共に、該入力操作を取得した場合には、取得した入力操作を管理する機能を有する。具体的には、入力管理部１５０２は、利用者によるレイアウト提示画面の各テキストの選択操作を検出すると、どのテキスト（すなわちレイアウトの候補名）が選択されたかを示すレイアウト選択情報（選択操作検出情報）を生成する。
【０１７０】
レイアウト決定部１５０３は、画面生成部１０６がデータ表示画面を生成するときに用いる画面生成情報の決定を行う機能を有する。また、レイアウト決定部１５０３は、測定装置別グラフ管理テーブル２０１および測定装置個数別レイアウトテーブル３０１を管理する。
【０１７１】
具体的には、レイアウト決定部１５０３は、測定装置情報を受信すると、測定装置別グラフ管理テーブル２０１を参照することによって、該測定装置情報に対応するグラフ生成情報を決定し、該グラフ生成情報をレイアウト提示画面生成部１５０１に送信する。
【０１７２】
また、レイアウト決定部１５０３は、入力管理部１５０２からレイアウト選択情報を受信すると、測定装置別グラフ管理テーブル２０１と測定装置個数別レイアウトテーブル３０１とを参照することによって、該レイアウト選択情報に対応する画面生成情報を決定する。そして、レイアウト決定部１５０３は、決定した画面生成情報を画面生成部１０６に送信する。
【０１７３】
なお、レイアウト決定部１５０３は、上記機能に限らず、実施形態１に係るデータ表示装置１に備えられたレイアウト決定部１０２の機能を有していてもよい。
【０１７４】
〔データ表示装置１ａにおける処理の流れ〕
次に、本発明に係るデータ表示装置１ａにおける処理の流れについて、図１６を用いて
説明する。図１６は、本発明に係るデータ表示装置１ａにおける処理の流れを示すフローチャートである。
【０１７５】
まず、接続装置管理部１０１は、接続された測定装置２を検出したか否かを判定する（Ｓ１６０１）。具体的には、接続装置管理部１０１は、接続された測定装置２から測定装置情報を、受信部１０８を介して検出したか否かを判定する。
【０１７６】
接続装置管理部１０１は、測定装置２から測定装置情報を検出したと判定すると（Ｓ１６０１でＹＥＳ）、該測定装置情報をレイアウト決定部１５０３に送信する。レイアウト決定部１５０３は、測定装置情報を受信すると、該レイアウト決定部１５０３が管理する測定装置別グラフ管理テーブル２０１を参照することによって、該測定装置情報の示す「測定装置」に対応する「グラフのタイトル」と「グラフの種類」とを示すグラフ生成情報を決定する（Ｓ１６０２）。そして、レイアウト決定部１５０３は、このグラフ生成情報をレイアウト提示画面生成部１５０１に送信する。なお、Ｓ１６０１でＮＯの場合、Ｓ１６０１の処理に戻る。
【０１７７】
レイアウト提示画面生成部１５０１は、グラフ生成情報を受信すると、該グラフ生成情報を用いて、レイアウトの候補名を提示するレイアウト提示画面を生成する（Ｓ１６０３）。具体的には、レイアウト提示画面生成部１５０１は、受信したグラフ生成情報に含まれる「グラフのタイトル」と「グラフの種類」とからテキストを生成する。例えば、後述の図１７に示すように、「歩数棒グラフ」等のレイアウト提示画面生成部１５０１が生成可能なグラフのタイトルおよび種類を示すテキスト（すなわち、レイアウトの候補名を示すテキスト）を生成する。そして、レイアウト提示画面生成部１５０１は、予め記憶されたレイアウト提示画面を示す表示レイアウトの形式の所定の位置に、生成したテキストを挿入することにより、レイアウト提示画面を生成する。
【０１７８】
レイアウト提示画面生成部１５０１は、生成したレイアウト提示画面を画面表示部１０７に送信する。画面表示部１０７は、レイアウト提示画面を受信すると、該画面表示部１０７の画面上に該レイアウト提示画面を、例えばダイアログボックス形式で表示する（Ｓ１６０４）。
【０１７９】
その後、レイアウト決定部１５０３は、入力管理部１５０２にて利用者による入力操作が行われた否か（すなわち、利用者の操作があったか否か）を判定する（Ｓ１６０５）。具体的には、入力管理部１５０２は、利用者による各レイアウトの候補名を示すテキストの選択操作を検出すると、どのレイアウトの候補名を示すテキストが選択されたかを示すレイアウト選択情報をレイアウト決定部１５０３に送信する。すなわち、レイアウト決定部１５０３は、レイアウト選択情報を受信した場合には、入力管理部１５０２にて利用者による入力操作が行われたと判定する。
【０１８０】
レイアウト決定部１５０３は、レイアウト選択情報を受信することによって、入力管理部１５０２にて利用者による入力操作が行われたと判定した場合（Ｓ１６０５でＹＥＳ）、該レイアウト選択情報から、利用者によって選択されたテキストと該選択されたテキストの個数（生成すべきグラフの個数）とを取得する。なお、Ｓ１６０５でＮＯの場合、Ｓ１６０５の処理に戻る。
【０１８１】
すなわち、レイアウト決定部１５０３は、レイアウト選択情報を受信すると、図２に示す測定装置別グラフ管理テーブル２０１を参照することによって、選択されたテキストに対応する「グラフのタイトル」と「グラフの種類」とを決定する。また、レイアウト決定部１５０３は、図３に示す測定装置個数別レイアウトテーブル３０１を参照することによって、選択されたテキストの個数に対応する「データ表示用レイアウト」を決定する（Ｓ
１６０６）。ここでは、測定装置個数別レイアウトテーブル３０１の「測定装置の個数」は、上記選択されたテキストの個数を指すものとする。そして、レイアウト決定部１５０３は、決定した「グラフのタイトル」および「グラフの種類」を示すグラフ生成情報と、「データ表示用レイアウト」を示す表示レイアウト情報とを画面生成情報として画面生成部１０６に送信する。
【０１８２】
画面生成部１０６は、画面生成情報を受信すると、レイアウト格納部１０５から該画面生成情報に含まれる表示レイアウト情報に対応する表示レイアウトの形式を取得する。
また、画面生成部１０６は、画面生成情報に含まれるグラフ生成情報から、グラフ生成に必要な測定データを決定し、データ格納部１０４に格納された該測定データを取得すると共に、グラフの形状を決定する。すなわち、画面生成部１０６は、レイアウト格納部１０５およびデータ格納部１０４から取得した表示レイアウトの形式および測定データを用いて、画面表示部１０７に表示させるデータ表示画面を生成する（Ｓ１６０７）。そして、画面生成部１０６は、生成したデータ表示画面を画面表示部１０７に出力して、画面表示部１０７の画面上に該データ表示画面を表示させる（Ｓ１６０８）。
【０１８３】
ここで、Ｓ１６０３の処理にてレイアウト提示画面生成部１５０１によって生成されるレイアウト提示画面の一例を図１７に示す。図１７は、レイアウト提示画面生成部１５０１によって生成されるレイアウト提示画面の一例を示す図である。
【０１８４】
図１７に示すレイアウト提示画面１７０１は、レイアウト提示画面生成部１５０１が予め記憶されたレイアウト提示画面を示す表示レイアウトの形式を用いることによって生成される。具体的には、レイアウト提示画面１７０１は、利用者に選択を促すテキストと、レイアウト提示画面生成部１５０１がグラフ生成情報を受信したときに生成する、該グラフ生成情報に対応するレイアウト候補名を示すテキストと、決定ボタンとで形成されている。
【０１８５】
レイアウト提示画面１７０１では、上記利用者に選択を促すテキストとして「データを表示するレイアウトを選択してください」が表示されており、上記レイアウトの候補名として「歩数棒グラフ」、「体重折線グラフ」、「血圧折線グラフ」および「体脂肪折線グラフ」が表示されている。また、レイアウト提示画面１７０１では、各レイアウトの候補名にはチェックボックスが対応付けられている。
【０１８６】
レイアウト提示画面１７０１において、入力管理部１５０２を介して利用者によってレイアウトの候補名が選択された場合のレイアウト提示画面の一例を図１８に示す。図１８は、入力管理部１５０２を介して利用者によってレイアウトの候補名が選択された場合のレイアウト提示画面の一例を示す図である。図１８に示すレイアウト表示画面１８０１では、レイアウトの候補名のうち、「歩数棒グラフ」および「体重折線グラフ」が選択された状態を示している。
【０１８７】
すなわち、Ｓ１６０５の処理では、利用者は、入力管理部１５０２を介して、表示させたいグラフを示すレイアウトの候補名に対応するチェックボックスを選択した後、決定ボタンを選択することにより、該レイアウトの候補名を確定させる。
【０１８８】
入力管理部１５０２は、決定ボタンが選択されると、選択されたレイアウトの候補名を検出し、検出されたレイアウトの候補名をレイアウト選択情報としてレイアウト決定部１５０３に送信する。これにより、レイアウト決定部１５０３は、「グラフのタイトル」および「グラフの種類」を示すグラフ生成情報と、「データ表示用レイアウト」を示す表示レイアウト情報とを決定することができる。
【０１８９】
以上のように、データ表示装置１ａは、レイアウト提示画面生成部１５０１によって生成されるレイアウト提示画面を画面表示部１０７に表示させる。また、データ表示装置１ａは、レイアウト提示画面に表示される複数のレイアウトの候補名（すなわち、接続された測定装置２）を利用者に選択させるための入力管理部１５０２を有する。
【０１９０】
これにより、データ表示装置１ａは、利用者が表示させたい測定装置２のグラフだけを用いてデータ表示画面を作成することができる。このため、データ表示装置１ａは、利用者が必要とする測定結果を示すグラフを選択的に表示させることができる。
【０１９１】
〔実施形態３〕
本発明の他の実施形態について図１９および図２０に基づいて説明すると以下の通りである。なお、実施形態１と同一の機能を有する部材については、同一の符号を付記し、その説明は省略する。
【０１９２】
〔データ表示装置１ｂの概略構成〕
本実施形態に係るデータ表示装置１ｂは、図１９に示すように、レイアウト取得部１９０１を備えている点で、実施形態１に係るデータ表示装置１とは異なる。すなわち、データ表示装置１ｂは、レイアウト格納部１０５に格納される表示レイアウトの形式を外部から取得する点で、データ表示装置１とは異なる。なお、図１９は、本実施形態に係るデータ表示装置１ｂの概略構成を示す機能ブロック図である。
【０１９３】
本実施形態に係るデータ表示装置１ｂは、接続装置管理部１０１と、レイアウト決定部１０２と、データ管理部１０３と、データ格納部１０４と、レイアウト格納部１０５と、画面生成部１０６と、画面表示部１０７と、受信部１０８と、レイアウト取得部（レイアウト取得手段）１９０１とを備えている。
【０１９４】
レイアウト取得部１９０１は、外部サーバ、外部装置等から表示レイアウトの形式を示すレイアウト形式情報（外部表示レイアウト情報）を、受信部１０８を介して取得し、該レイアウト形式情報をレイアウト格納部１０５に格納する機能を有する。
【０１９５】
具体的には、接続装置管理部１０１が、接続された測定装置２から測定装置情報を検出すると、該測定装置情報をレイアウト決定部１０２とデータ管理部１０３とに送信すると共に、レイアウト取得部１９０１にも送信する。このとき、接続装置管理部１０１は、検出した測定装置情報から、接続されている測定装置２の個数を特定し、該個数を示す情報を測定装置情報に含めて、レイアウト取得部１９０１に送信する。
【０１９６】
レイアウト取得部１９０１は、測定装置情報を取得すると、表示レイアウトの形式を格納する外部装置（例えば、後述の図２０では、レイアウト格納サーバ２００５）に対して、該測定装置情報に含まれる測定装置２の個数に対応した表示レイアウトの形式の取得を要求する取得要求信号を送信する。そして、レイアウト取得部１９０１は、上記外部装置から、測定装置情報に対応する表示レイアウトの形式を示すレイアウト形式情報を、受信部１０８を介して受信し、該レイアウト形式情報をレイアウト格納部１０５に格納する。
【０１９７】
但し、表示レイアウトの取得方法は、上記に限られたものではない。例えば、データ表示装置１ｂがブラウザ表示機能を備えている場合には、外部装置がウェブページにて表示レイアウトの一覧画面を提供し、該一覧表示からユーザがダウンロードできる方法であってもよい。
【０１９８】
なお、データ表示装置１ｂは、実施形態１に係るデータ表示装置１にレイアウト取得部１９０１を追加した構成となっているが、これに限らず、実施形態２に係るデータ表示装
置１ａに追加した構成であっても該データ表示装置１ｂと同様の機能を有する。
【０１９９】
〔データ表示装置の実施例〕
次に、本実施形態に係るデータ表示装置１ｂの具体的な実施例について、図２０を用いて説明する。図２０は、本実施形態に係るデータ表示装置１ｂの実施例を示すものであり、データ表示装置１ｂを含むデータ通信システムの全体的な概略構成を示す図である。
【０２００】
図２０に示すように、データ通信システム２０は、携帯電話、モバイルＰＣ（personal
computer）、ＰＤＡ（personal digital assistance）等の携帯端末２００１と、テレビジョン受像機２００２と、該テレビジョン受像機２００２に接続されるＰＣ、ＳＴＢ（set top box）等の外部接続装置２００３と、通信媒体であるネットワーク２００４と、該ネットワーク２００４上に存在するレイアウト格納サーバ（外部レイアウト格納装置）２００５と、測定装置２とで構成されている。
【０２０１】
データ通信システム２０において、本発明に係るデータ表示装置１ｂは、携帯端末２００１、テレビジョン受像機２００２、外部接続装置２００３のいずれか、あるいは、これらの全てにおいて実現されており、ネットワーク２００４を介して、測定装置２およびレイアウト格納サーバ２００５との通信を行う。なお、外部接続装置２００３が表示機能を有していない場合、外部接続装置２００３では、図１９に示すデータ表示装置１ｂの画面表示部１０７を除いた機能ブロックが実現されているものとする。
【０２０２】
ネットワーク２００４は、赤外線通信、無線通信、ＵＳＢケーブル等、無線通信媒体または有線通信媒体により実現されているものである。
【０２０３】
レイアウト格納サーバ２００５には、レイアウト決定部１０２が管理する測定装置個数別レイアウトテーブル３０１の「データ表示用レイアウト」に対応した表示レイアウトの形式が格納されている。すなわち、レイアウト格納サーバ２００５には、実施形態１、２に係るデータ表示装置１、１ａのレイアウト格納部１０５に格納されている表示レイアウトの形式の全てが格納されている。また、レイアウト格納サーバ２００５は、これに限らず、上記「データ表示用レイアウト」に対応した表示レイアウトの形式であれば、どのような表示レイアウトの形式が格納されていてもよい。
【０２０４】
これにより、データ表示装置１ｂは、例えば上記「データ表示レイアウト」の「単グラフレイアウト」に対応する表示レイアウトの形式を複数取得することができる。このため、データ表示装置１ｂは、レイアウト格納部１０５に格納されている表示レイアウトの形式以外の表示レイアウトの形式を用いて、様々なデータ表示画面を生成し、表示させることができる。従って、データ表示装置１ｂは、利用者が飽きることなく健康管理の継続を行うことが可能な環境を提供することができる。
【０２０５】
レイアウト格納サーバ２００５は、データ表示装置１ｂのレイアウト取得部１９０１から取得要求信号を受信すると、該レイアウト取得部１９０１が取得を要求する表示レイアウトの形式を示すレイアウト形式情報を、該レイアウト取得部１９０１に送信する。
【０２０６】
なお、上記では、レイアウト格納サーバ２００５が表示レイアウトの形式を格納する外部装置の一例として挙げられているが、これに限らず、ＵＳＢメモリ、ＨＤＤ（Hard Disk Drive）等に該表示レイアウトの形式が格納されていてもよい。また、データ表示装置１ｂは、該データ表示装置１ｂとは異なる、ネットワーク２００４上のデータ表示装置に格納された表示レイアウトの形式を取得してもよい。
【０２０７】
また、データ通信システム２０では、携帯端末２００１、テレビジョン受像機２００２
および外部接続装置２００３にデータ表示装置１ｂが実現されている構成となっているが、これに限られたものではない。例えば携帯端末２００１、テレビジョン受像機２００２および外部接続装置２００３に、実施形態１、２に係るデータ表示装置１、１ａが実現されていてもよい。なお、この場合には、レイアウト格納サーバ２００５がネットワーク２００４上に存在しなくてもよい。
【０２０８】
〔補足〕
最後に、本実施形態に係るデータ表示装置１、１ａ、１ｂの各ブロック、特に接続装置管理部１０１、レイアウト決定部１０２、データ管理部１０３、データ格納部１０４、レイアウト格納部１０５、画面生成部１０６、レイアウト提示画面生成部１５０１、レイアウト決定部１５０３およびレイアウト取得部１９０１は、ハードウェアロジックによって構成してもよいし、次のようにＣＰＵを用いてソフトウェアによって実現してもよい。
【０２０９】
すなわち、本実施形態に係るデータ表示装置１、１ａ、１ｂは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ表示装置１、１ａ、１ｂの制御プログラムのプログラムコード（実行形式プログラム、中間コードプログラム、ソースプログラム）をコンピュータで読み取り可能に記録した記録媒体を、上記データ表示装置１、１ａ、１ｂに供給し、そのコンピュータ（またはＣＰＵやＭＰＵ）が記録媒体に記録されているプログラムコードを読み出し実行することによっても、達成可能である。
【０２１０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１１】
また、本実施形態に係るデータ表示装置１、１ａ、１ｂを通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１３】
本発明に係るデータ表示装置は、該データ表示装置と接続されている測定装置の種別および個数に対応したデータ表示を行うことができるので、測定装置と通信を行うことによって測定データを管理する情報端末に適用できる。
【図面の簡単な説明】
【０２１４】
【図１】本発明の一実施形態に係るデータ表示装置の概略構成を示す機能ブロック図である。
【図２】図１に示すデータ表示装置のレイアウト決定部にて管理される測定装置別グラフ管理テーブルの一例を示す図である。
【図３】図１に示すデータ表示装置のレイアウト決定部にて管理される測定装置個数別レイアウトテーブルの一例を示す図である。
【図４】図１に示すデータ表示装置のレイアウト格納部に格納された単グラフレイアウトの形式の一例を示すものである。
【図５】図１に示すデータ表示装置のレイアウト格納部に格納された双グラフレイアウトの形式の一例を示すものである。
【図６】図１に示すデータ表示装置のレイアウト格納部に格納された複合グラフレイアウトの形式の一例を示すものである。
【図７】図１に示すデータ表示装置における処理の流れを示すフローチャートである
【図８】図１に示すデータ表示装置の画面生成部によって生成されるデータ表示画面の一例を示すものであり、図１に示すデータ表示装置の接続装置管理部によって検出された測定装置情報が「歩数測定装置」である場合のデータ表示画面を示す図である。
【図９】図１に示すデータ表示装置の画面生成部によって生成されるデータ表示画面の一例を示すものであり、図１に示すデータ表示装置の接続装置管理部によって検出された測定装置情報が「歩数測定装置」と「体重測定装置」とである場合のデータ表示画面を示す図である。
【図１０】図１に示すデータ表示装置の画面生成部によって生成されるデータ表示画面の一例を示すものであり、図１に示すデータ表示装置の接続装置管理部によって検出された測定装置情報が「歩数測定装置」と「体重測定装置」と「血圧測定装置」とである場合に、歩数測定装置の測定結果を示すグラフが最前面に表示されているデータ表示画面を示す図である。
【図１１】図１に示すデータ表示装置の画面生成部によって生成されるデータ表示画面の一例を示すものであり、図１に示すデータ表示装置の接続装置管理部によって検出された測定装置情報が「歩数測定装置」と「体重測定装置」と「血圧測定装置」とである場合に、血圧測定装置の測定結果を示すグラフが最前面に表示されているデータ表示画面を示す図である。
【図１２】図１に示すデータ表示装置のレイアウト決定部によって管理される注釈レイアウトテーブルを示す図である。
【図１３】図１に示すデータ表示装置のレイアウト決定部によって管理されるグラフ色テーブルを示すものである。
【図１４】（ａ）〜（ｃ）は、図１に示すデータ表示装置のレイアウト決定部が図１２に示す注釈レイアウトテーブルまたは図１３に示すグラフ色テーブルを参照する場合のデータ表示装置の処理を通じて、図１に示すデータ表示装置の画面生成部によって生成されるデータ表示画面を示す図である。
【図１５】本発明の他の一実施形態に係るデータ表示装置の概略構成を示す機能ブロック図である。
【図１６】図１５に示すデータ表示装置における処理の流れを示すフローチャートである。
【図１７】図１５に示すデータ表示装置のレイアウト提示画面生成部によって生成されるレイアウト提示画面の一例を示す図である。
【図１８】図１５に示すデータ表示装置の入力管理部を介して利用者によってレイアウトの候補名が選択された場合のレイアウト提示画面の一例を示す図である。
【図１９】本発明のさらに他の一実施形態に係るデータ表示装置の概略構成を示す機能ブロック図である。
【図２０】図１９に示すデータ表示装置の実施例を示すものであり、該データ表示装置を含むデータ通信システムの全体的な概略構成を示す図である。
【図２１】図１に示すデータ表示装置と、該データ表示装置とデータ通信を行う測定装置とを含むデータ通信システムの全体的な概略構成を示す図である。
【図２２】従来技術を示すものであり、計測機器の表示部での表示画面の一例を示した図である。
【図２３】従来技術を示すものであり、計測機器の表示部での表示画面の他の一例を示した図である。
【符号の説明】
【０２１５】
１、１ａ、１ｂ    データ表示装置
２        測定装置
１０１    接続装置管理部（接続装置管理手段）
１０２、１５０３  レイアウト決定部（画面生成情報決定手段）
１０３    データ受信部（測定総合情報受信手段）
１０６    画面生成部（画面生成手段）
２０１    測定装置別グラフ管理テーブル（提示形態情報テーブル）
３０１    測定装置個数別レイアウトテーブル（表示レイアウト情報テーブル）
１５０１  レイアウト提示画面生成部（提示画面生成手段）
１５０２  入力管理部（入力管理手段）
１９０１  レイアウト取得部（レイアウト取得手段）
２００１  携帯端末
２００２  テレビジョン受像機
２００３  外部接続装置
２００５  レイアウト格納サーバ（外部レイアウト格納装置）
【図１】
2009189443.tif 000003
【図２】
2009189443.tif 000004
【図３】
2009189443.tif 000005
【図４】
2009189443.tif 000006
【図５】
2009189443.tif 000007
【図６】
2009189443.tif 000008
【図７】
2009189443.tif 000009
【図８】
2009189443.tif 000010
【図９】
2009189443.tif 000011
【図１０】
2009189443.tif 000012
【図１１】
2009189443.tif 000013
【図１２】
2009189443.tif 000014
【図１３】
2009189443.tif 000015
【図１４】
2009189443.tif 000016
【図１５】
2009189443.tif 000017
【図１６】
2009189443.tif 000018
【図１７】
2009189443.tif 000019
【図１８】
2009189443.tif 000020
【図１９】
2009189443.tif 000021
【図２０】
2009189443.tif 000022
【図２１】
2009189443.tif 000023
【図２２】
2009189443.tif 000024
【図２３】
2009189443.tif 000025